(57)【要約】検出装置、情報送信装置、および動作装置を具備する情報処理システムであって、検出装置は、検出した移動体の移動状態を情報送信装置に送信し、情報送信装置は、情報を格納している情報格納部と、移動体の移動状態を取得する取得部と、前記移動状態に基づいて前記情報を送信する距離を変更して、前記情報を送信する情報送信部を具備し、前記動作装置は、情報送信装置から情報を受信し、当該受信した情報に基づいて動作を行う情報処理システムであり、本システムにより、動作装置に対して相対的に移動する情報送信装置から情報を受信して動作する動作装置が、タイミングよく動作できる。【特許請求の範囲】
【請求項１】
情報を格納している情報格納部と、
移動体の移動状態を取得する取得部と、
前記移動状態に基づいて前記情報を送信する距離を変更して、前記情報を送信する情報送信部と、
を有する情報送信装置。
【請求項２】
前記取得部が、前記移動体の移動する速度または加速度を前記移動状態として取得する請求項１記載の情報送信装置。
【請求項３】
前記情報送信部は、前記移動状態を複数の段階に分け、前記各段階に応じて送信する距離を変更して前記情報を送信する請求項１記載の情報送信装置。
【請求項４】
前記情報を送信する距離の変更は、異なる電界強度で前記情報を送信することにより実現する請求項１記載の情報送信装置。
【請求項５】
前記情報格納部が情報送信モード管理表を有し、
前記情報送信部は、取得された移動状態から前記情報送信モード管理表を参照して、送信する距離を決定する請求項１記載の情報送信装置。
【請求項６】
使用者の音声入力を受け付ける音声受付部をさらに有し、
前記音声受付部は、前記移動状態に基づいて送信する距離を変更して、受け付けた前記音声情報を送信する請求項１記載の情報送信装置。
【請求項７】
前記取得部は、検出装置が送信する移動体の移動情報を受信する請求項１記載の情報送信装置。
【請求項８】
前記取得部は、受信機能を有する記録媒体から移動体の移動情報を取得する請求項１記載の情報送信装置。
【請求項９】
情報処理システムであって、情報送信装置と動作装置を有し、
前記情報送信装置が：
情報を格納している情報格納部と；
移動体の移動状態を取得する取得部と；
前記移動状態に基づいて前記情報を送信する距離を変更して、前記情報を送信する情報送信部を有し、
前記動作装置が：
前記情報送信装置から情報を受信する情報受信部と、
前記情報受信部が受信した情報に基づいて動作を行う動作部と、
を具備する情報処理システム。
【請求項１０】
前記移動状態を送信する移動状態送信部と、前記移動体の移動状態を検出する検出部と、を含む検出装置をさらに有する請求項９記載の情報処理システム。
【請求項１１】
前記動作部は、
前記受信した情報に基づいて認証を行う認証手段と、
前記認証手段における認証結果が認証許可との認証結果である場合に、動作を行う動作手段を有する
請求項９記載の情報処理システム。
【請求項１２】
前記情報格納部が、情報送信モード管理表を有し、
前記情報送信部は、取得された移動状態から前記情報送信モード管理表を参照して、送信する距離を決定する、請求項９記載の情報処理システム。
【請求項１３】
前記動作部はドアまたはゲートを開ける動作を行う請求項９記載の情報処理システム。
【請求項１４】
前記動作装置は、ＥＴＣのゲートであり、動作部はＥＴＣのゲートを開ける動作を行う請求項９記載の情報処理システム。
【請求項１５】
情報処理システムであって、情報送信装置と検出装置を有し、
前記情報送信装置は：
情報を格納している情報格納部と、
移動体の移動状態を取得する取得部と、
前記移動状態に基づいて前記情報を送信する距離を変更して、前記情報を送信する情報送信部を具備し、
前記検出装置は：
前記移動体の移動状態を検出する検出部と、
前記移動状態を送信する移動状態送信部を含む
情報処理システム。
【請求項１６】
携帯電話であって、
移動体の移動状態を取得する取得部と、
前記移動状態に基づいて送信する距離を変更して、入力された音声情報を送信する情報送信部を具備する携帯電話。
【請求項１７】
前記取得部が、前記移動体の移動する速度または加速度を前記移動状態として検出する請求項１６記載の携帯電話。
【請求項１８】
コンピュータに、
移動体の移動状態を取得する取得ステップと、
前記移動状態に基づいて情報を送信する距離を選択するステップと、
入力された音声情報またはコンピュータが格納している情報を送信する情報送信ステップと、
を実行させるためのプログラム。
【請求項１９】
コンピュータに、
情報送信装置から情報を受信する情報受信ステップと、
前記情報受信ステップで受信した移動状態に関する情報に基づいて動作を行う動作ステップと、
を実行させるためのプログラム。
【請求項２０】
前記動作ステップが、
受信した情報に基づいて認証を行う認証サブステップと、
前記認証ステップにおける認証結果が認証許可との認証結果である場合に、動作を行う動作サブステップと、
を含むステップである請求項１９記載のプログラム。
【発明の詳細な説明】
【技術分野】
【０００１】  本発明は、速度または加速度などの移動状態に応じて情報の送信距離を変更する情報送信装置や情報処理システム等に関するものである。
【背景技術】
【０００２】  従来技術として、ブルートゥース（Ｂｌｕｅｔｏｏｔｈ）（登録商標）が知られている。同技術は、無線通信規格であり、伝送距離は送信電力が１ｍＷのときに約１０ｍと、省電力、短距離を意識した無線規格である。また、送信電力を上げることにより、最大で１００ｍまで伝送距離を伸ばすことができることが文献に記載されている（文献名：「最新技術解説  入門Ｂｌｕｅｔｏｏｔｈ」、初版、技術評論社、２００１年１月１３日、ｐ．２８−３５）。【０００３】  しかし、上記従来技術では、移動する速度や移動する加速度などの移動状態に基づいて、自動的に情報の送信距離が変わらないために、移動する情報送信装置から情報を受信して動作する装置が、タイミングよく動作できない、という課題があった。【０００４】  また、高速移動時には、通信距離として長い距離が確保できず、その結果、通信処理を完了させる時間を確保することができない、という課題があった。
【発明の開示】
【０００５】  本発明の情報処理システムは、検出装置、情報送信装置、および動作装置を具備する情報処理システムであって、前記検出装置は、移動体の移動状態を検出する検出部と、前記情報送信装置に前記移動状態を送信する移動状態送信部を具備し、前記情報送信装置は、情報を格納している情報格納部と、移動体の移動状態を取得する取得部と、前記移動状態に基づいて前記情報を送信する距離を変更して、前記情報を送信する情報送信部を具備し、前記動作装置は、情報送信装置から情報を受信する情報受信部と、前記情報受信部が受信した情報に基づいて動作を行う動作部を具備する情報処理システムである。
【０００６】  この構成により、動作装置に対して相対的に移動する情報送信装置から情報を受信して動作する動作装置が、タイミングよく動作できる。
【０００７】  本発明の他の情報処理システムは、検出装置および情報送信装置を具備する情報処理システムであって、前記検出装置は、移動体の移動状態を検出する検出部と、前記情報送信装置に前記移動状態を送信する移動状態送信部を具備し、前記情報送信装置は、移動体の移動状態を取得する取得部と、前記移動状態に基づいて送信する距離を変更して、入力された音声情報を送信する情報送信部を具備する情報処理システムである。かかる情報送信部は、例えば、データ通信用の情報を送信しても良い。
【０００８】  この構成により、高速移動時には通信距離として長い距離が確保でき、その結果、通信処理を完了させる時間を確保することができる。また、低速移動時には、低消費電力での通信が可能となる。
【０００９】  本発明は、移動体の移動状態に応じて、自動的に情報の送信距離を変更することができる情報送信装置等を提供できる。
【図面の簡単な説明】
【００１０】
【図１】図１は実施の形態１における情報処理システムのブロック図である。
【図２】図２は実施の形態１における情報送信装置の動作について説明するフローチャートである。
【図３】図３は実施の形態１における動作装置の動作について説明するフローチャートである。
【図４】図４は実施の形態１における情報処理システムの概念図である。
【図５】図５は実施の形態１における情報送信モード管理表を示す図である。
【図６】図６は実施の形態１における情報送信装置識別子管理表を示す図である。
【図７】図７は実施の形態２における情報処理システムのブロック図である。
【図８】図８は実施の形態２における情報送信装置の動作について説明するフローチャートである。
【図９】図９は実施の形態２における情報処理システムの概念図である。
【図１０】図１０は実施の形態２における情報送信モード管理表を示す図である。
【図１１】図１１は実施の形態２における情報送信装置のブロック図である。
【符号の説明】
【００１１】  １１  検出装置
１２，７２  情報送信装置
１３  動作装置
１１０１  検出部
１１０２  移動状態送信部
１２０１  情報格納部
１２０２  取得部
１２０３  情報送信部
１３０１  情報受信部
１３０２  動作部
７２０３  情報送信部
７２０４  音声受付部
１３０２１  認証手段
１３０２２  動作手段
【発明を実施するための最良の形態】
【００１２】  以下、情報処理システム等の実施形態について図面を参照して説明する。なお、実施の形態において同じ符号を付した構成要素は同様の動作を行うので、再度の説明を省略する場合がある。【００１３】  （実施の形態１）
図１は、本実施の形態における情報処理システムのブロック図である。本情報処理システムは、検出装置１１、情報送信装置１２、動作装置１３を具備する。検出装置１１は、例えば、自動車等の移動体の速度や加速度等の移動状態を検出する装置である。情報送信装置１２は、例えば、自動車等の移動体に設置された通信装置である。動作装置１３は、例えば、ＥＴＣのゲートである。このゲートは、例えば、高速道路の入り口に設置されている。【００１４】  検出装置１１は、検出部１１０１、移動状態送信部１１０２を具備する。情報送信装置１２は、情報格納部１２０１、取得部１２０２、情報送信部１２０３を具備する。動作装置１３は、情報受信部１３０１、動作部１３０２を具備する。動作部１３０２は、認証手段１３０２１、動作手段１３０２２を具備する。【００１５】  検出部１１０１は、移動体の移動状態を検出する。移動体とは、自動車、バス、電車、飛行機などの乗物や、情報送信装置１２である。移動状態とは、移動体が移動する速度や加速度や、その他、移動する軌跡を示す情報などである。検出部１１０１は、例えば、自動車の動く速度を検知する。検出部１１０１は、例えば、自動車に設置された速度センサとそのドライバーソフトウェアによって実現することが出来る。【００１６】  移動状態送信部１１０２は、情報送信装置１２に検出部１１０１が検出した移動状態を送信する。移動状態送信部１１０２は、通常、無線または有線の通信手段で実現されるが、放送手段で実現されても良い。【００１７】  情報格納部１２０１は、情報を格納している。情報は、動作装置１３で認証を行うための情報や、情報送信装置１２を識別するための情報送信装置識別子や、動作装置１３を動作させるための命令や、動作装置１３が表示するための情報などを含むものである。但し、情報の内容や構造等は問わない。また、情報は、外部から受信した情報でも良い。情報格納部１２０１における情報の格納は、一時的な格納も含む。情報格納部１２０１は、不揮発性の記録媒体でも揮発性の記録媒体でも良い。【００１８】  取得部１２０２は、移動体の移動状態を取得する。取得とは、通信による取得と、記録媒体からのデータ読み込みを含む。ここでいう記録媒体は、受信機能を有している限り、不揮発性の記録媒体でも揮発性の記録媒体でも良い。記録媒体には、例えば、種々のメモリーカードが含まれる。取得部１２０２は、例えば、検出装置１１から移動状態を受信する。従って、取得部１２０２は、例えば、無線または有線の通信手段で実現される。また、取得部１２０２は、例えば、放送を受信する手段で実現されても良い。【００１９】  情報送信部１２０３は、取得部１２０２が取得した移動状態に基づいて情報格納部１２０１の情報を送信する距離を変更して、情報を送信する。情報送信部１２０３は、例えば、速度に基づいて情報を送信できる距離を変更して、情報格納部１２０１の情報を送信する。情報送信部１２０３は、無線通信手段で実現され得る。情報送信部１２０３は、例えば、ブルートゥースの規格に適合する通信手段である。情報送信部１２０３は、例えば、速度に基づいて、情報を送信する距離を３段階に変更して、情報を送信する。つまり、情報送信部１２０３は、例えば、移動状態を複数の段階に分け、各段階に応じて送信する距離を変更して情報を送信する。かかる情報を送信する距離の変更は、例えば、異なる電界強度で前記情報を送信することにより実現する。また、情報送信部１２０３は、例えば、ブルートゥース以外のＵｌｔｒａ  ＷｉｄｅＢａｎｄ  Ａｃｃｅｓｓ（３．１〜１０．６ＧＨｚ）、ＩＥＥＥ８０２．１１ｂ、ＩｒＤＡ、Ｗｉｒｅｌｅｓｓ１３９４、ＴＤ−ＣＤＭＡ等の規格に適合する通信手段であっても良い。なお、情報送信部１２０３は、情報を送信する条件を満たすか否かを判断し、当該判断の結果、情報を送信すると判断した場合のみ、情報を送信しても良い。例えば、情報送信部１２０３は、ＥＴＣのゲートに近づいてきたことを検知して、情報を送信しても良い。ＥＴＣのゲートに近づいてきたことは、例えば、ＧＰＳ受信機（図示しない）により取得した位置情報と、保持しているナビゲーションシステムの地図情報（図示しない）に基づいて判断でき得る。【００２０】  情報受信部１３０１は、情報送信装置１２から情報を受信する。情報受信部１３０１は、無線通信手段で実現され得る。情報受信部１３０１は、例えば、ブルートゥースの規格に適合する通信手段である。情報受信部１３０１は、例えば、ブルートゥース以外のＵｌｔｒａ  ＷｉｄｅＢａｎｄ  ＡｃｃｅｓｓやＩＥＥＥ８０２．１１ｂ、ＴＤ−ＣＤＭＡ等の規格に適合する通信手段であっても良い。【００２１】  動作部１３０２は、情報受信部１３０１で受信した情報に基づいて動作を行う。「情報受信部１３０１が受信した情報に基づいて動作を行う」とは、例えば、情報受信部１３０１が情報を受信したことをトリガーとして、動作を行なったり、受信した情報の内容によって異なる動作を行なったり、以下で述べる受信した情報に基づいて認証処理を行い、認証結果が認証許可である場合のみ、動作を行ったりすることである。また、ここでいう動作には種々の動作が含まれており、本発明は動作の内容によっては限定されない。なお、動作の内容は、他の情報や要因により変化しても良い。動作は、例えば、自動ドアを開く動作である。かかる場合、動作装置１３は、自動ドアである。動作は、例えば、ＥＴＣのゲートを開く動作である。かかる場合、動作装置１３は、ＥＴＣのゲートである。【００２２】  認証手段１３０２１は、受信した情報に基づいて認証を行う。認証手段１３０２１は、例えば、以下の処理により認証を行う。認証手段１３０２１は、認証される情報送信装置１２を識別する情報送信装置識別子を１以上格納している。認証手段１３０２１は、受信した情報が、格納している情報送信装置識別子の中に存在するか否かを判断し、存在すれば認証許可と判断し、存在しなければ認証不許可と判断する。また、認証手段１３０２１は、外部の認証サーバ（図示しない）に認証を依頼し、当該認証の結果を受信する手段であっても良い。かかる認証の依頼の際に、認証手段１３０２１は、受信した情報が有する情報送信装置識別子を認証サーバに送信する。認証手段１３０２１は、通常、ＭＰＵやメモリ等から実現され得る。認証手段１３０２１が認証するための処理手順は、通常、ソフトウェアで実現され、当該ソフトウェアはＲＯＭ等の記録媒体���記録されている。但し、ハードウェア（専用回路）で実現しても良い。【００２３】  動作手段１３０２２は、認証手段１３０２１における認証結果が認証許可との認証結果である場合に、動作を行う。動作手段１３０２２の実現手段は、動作の内容によって異なる。【００２４】  以下、本情報処理システムの動作について説明する。まず、検出装置１１の動作について説明する。検出装置１１の検出部１１０１は、通常、常時かつ定期的に移動体の移動状態を検出する。そして、移動状態送信部１１０２は、情報送信装置１２に、検出部１１０１が検出した移動状態を送信する。移動状態の送信のタイミングは、検出部１１０１が移動状態を検出する毎であっても良いし、所定の条件を満たした場合であっても良い。所定の条件を満たした時に移動状態を送信する場合は、移動状態送信部１１０２は、移動状態が所定の条件を満たすか否かを判断する処理を行う。【００２５】  次に、情報送信装置１２の動作について図２のフローチャートを用いて説明する。【００２６】  （ステップＳ２０１）取得部１２０２は、移動状態を取得したか否かを判断する。移動状態を取得すればステップＳ２０２に行き、移動状態を取得しなければステップＳ２０１に戻る。【００２７】  （ステップＳ２０２）情報送信部１２０３は、情報を送信する条件を満たすか否かを判断する。情報を送信する条件を満たせばステップＳ２０３に行き、情報を送信する条件を満たさなければステップＳ２０１に戻る。情報を送信する条件を満たすか否かは、例えば、以下で述べるＥＴＣゲートに所定の距離以内に、移動体が近づいたか否かにより判断する。かかる判断は、例えば、ＧＰＳ受信機（図示しない）により取得した位置情報と地図情報により行う。【００２８】  （ステップＳ２０３）情報送信部１２０３は、ステップＳ２０１で取得した移動状態に基づいて、情報を送信するモードを決定する。このモードは、情報の送信距離を決定するモードである。つまり、モードが異なれば、情報の送信距離が異なる。【００２９】  （ステップＳ２０４）情報送信部１２０３は、情報格納部１２０１の情報を読み出す。【００３０】  （ステップＳ２０５）情報送信部１２０３は、ステップＳ２０３で決定したモードに従って、ステップＳ２０４で読み出した情報を送信する。ステップＳ２０１に戻る。【００３１】  なお、図２のフローチャートにおいて、電源オフや処理終了の割り込みにより処理は終了する。【００３２】  次に、動作装置１３の動作について図３のフローチャートを用いて説明する。【００３３】  （ステップＳ３０１）情報受信部１３０１が情報を受信したか否かを判断する。情報を受信したと判断するとステップＳ３０２に進み、情報を受信していないと判断するとステップＳ３０１に戻る。【００３４】  （ステップＳ３０２）動作部１３０２の認証手段１３０２１は、受信した情報に基づいて認証を行う。【００３５】  （ステップＳ３０３）動作部１３０２の動作手段１３０２２は、認証手段１３０２１における認証結果が認証許可であるか否かを判断する。認証許可であればステップＳ３０４に進み、認証許可でなければステップＳ３０１に戻る。【００３６】  （ステップＳ３０４）動作手段１３０２２は、動作を行う。ステップＳ３０１に戻る。【００３７】  なお、図３のフローチャートにおいて、電源オフや処理の終了を指示する信号の入力等の割り込みが有る場合に、処理が終了する。【００３８】  以下、本実施の形態における情報処理システムの具体的を説明する。図４は、本情報処理システムの具体的な概念図である。本情報処理システムにおいて移動体は、自動車である。情報処理システムにおいて、自動車がＥＴＣのゲートに対して、自動車の識別子（情報送信装置の識別子でも良い）を送信し、当該自動車の識別子を受信したＥＴＣゲートは、ゲートを開く。その結果、スムーズに自動車はＥＴＣゲートを通過できる。また、ＥＴＣゲートと連携している課金サーバ装置（図示しない）は、自動車に対して課金する。【００３９】  自動車の内部に、検出装置１１および情報送信装置１２が存在する。また、動作装置１３は、ＥＴＣのゲートである。【００４０】  情報送信装置１２は、図５に示すような情報送信モード管理表に基づいて情報を送信する距離を制御しても良い。情報送信モード管理表は、「速度（ｍ／秒）」「モード」「距離」を有するレコードを１以上保持している。「速度（ｍ／秒）」は、自動車の移動速度（移動状態の一例）を示す情報である。「モード」は、情報を送信する距離を異なる距離にする場合のカテゴリーを示す情報である。「距離」は、情報を送信する距離を示す情報である。つまり、情報送信装置１２は、自動車の速度が「０ｍ／秒」場合（すなわち、停止している場合）は、モード「０」と決定し、情報を「１ｍ」先の距離まで送信する。また、情報送信装置１２は、自動車が「０．１〜５．０ｍ／秒」の速度で移動する場合は、モード「１」と決定し、情報を「１０ｍ」先の距離まで送信する。また、情報送信装置１２は、自動車が「５．１〜１５．０ｍ／秒」の速度で移動する場合は、モード「２」と決定し、情報を「２５ｍ」先の距離まで送信する。さらに、情報送信装置１２は、自動車が「１５．１ｍ／秒以上」の速度で移動する場合は、モード「３」と決定し、情報を「１００ｍ」先の距離まで送信する。なお、情報送信装置１２の情報送信部１２０３は、電界強度を変えることにより、情報の伝送距離を変更することができる。【００４１】  また、ＥＴＣ車載器（情報送信装置１２）は、自動車またはＥＴＣ車載器を識別する情報である情報送信装置識別子「７６５５」を保持している、とする。そして、動作装置１３の認証手段１３０２１は、図６に示す情報送信装置識別子管理表を保持している。情報送信装置識別子管理表は、１以上の情報送信装置識別子を有する。【００４２】  かかる場合、検出装置１１が、例えば、定期的に自動車の速度を検知する。そして、ＥＴＣ車載器（情報送信装置１２）は、当該速度を取得する。次に、ＥＴＣ車載器の情報送信部１２０３は、速度に応じた距離を図５の情報送信モード管理表から取得する。【００４３】  次に、情報送信部１２０３は、情報送信装置識別子「７６５５」を情報格納部１２０１から読み出し、送信する情報を構成する。送信する情報は、情報送信装置識別子「７６５５」を有し、ＥＴＣゲートのオープンを指示する情報であれば良い。そして、情報送信部１２０３は、上記で得た距離まで、情報送信装���識別子「７６５５」を有する情報を送信する。【００４４】  次に、動作装置１３の情報受信部１３０１は、情報送信装置識別子「７６５５」を有する情報を受信する。そして、動作部１３０２は、情報送信装置識別子「７６５５」に基づいて認証する。つまり、認証手段１３０２１は、情報送信装置識別子「７６５５」が図６に示す情報送信装置識別子管理表に保持されているか否かを判断する。ここでは、情報送信装置識別子「７６５５」が図６に示す情報送信装置識別子管理表に保持されているので、認証許可との結果を得る。そして、動作手段１３０２２は、ＥＴＣゲートをオープンする。ＥＴＣゲートをオープンする処理は、公知技術による処理であるので、ここでの詳細な説明は省略する。また、動作手段１３０２２は、情報送信装置識別子「７６５５」を有する課金情報を、図示しない課金サーバ装置に送信する。課金サーバ装置は、情報送信装置識別子「７６５５」に対応するＥＴＣ車載器（または自動車）に対して、所定の課金処理を行う。所定の課金処理も公知技術による処理であるので、ここでの詳細な説明は省略する。【００４５】  本実施例では、自動車の移動速度に応じて、自動車に搭載されたＥＴＣ車載器（情報送信装置１２）が、ＥＴＣのゲート（動作装置１３）に情報を送信する距離が変化する。その結果、自動車の移動速度が速いほど、ＥＴＣのゲートは遠方からの情報を受信して、ゲートが開く。また、本実施例では、自動車の移動速度は、自動車が保持している検出装置１１により検出され、情報送信装置１２に送られる。なお、情報送信装置１２は定期的に検出装置１１が検出した最新の速度を取りにいったが、所定の条件に合致した場合に、検出装置１１が検出した最新の速度を取りにいっても良い。所定の条件とは、例えば、ＥＴＣゲートから所定の距離以内に近づいたことを検知した場合である。ＥＴＣゲートから所定の距離以内に近づいたことの検知は、例えば、ＧＰＳ受信機と地図情報に基づいて行なう。【００４６】  また、一度、動作装置１３に情報を送信した場合、または一度、動作装置１３に情報を送信して、動作装置１３が情報を受信したことを検知した場合に、情報送信装置１２が、再度、情報を送信しないようにしてもよい。【００４７】  また、本実施例では、動作部１３０２は、認証手段１３０２１により認証処理を行ったが、認証処理を行わなくても良い。つまり、情報を受信した場合に、動作部１３０２は、常に、ＥＴＣゲートをオープンしても良い。【００４８】  本実施例では、自動車の移動状態は、速度であったが、加速度や、他の移動に関する情報でも良い。情報送信装置１２が、取得した自動車の加速度に基づいて、情報を送信する距離を変更して、当該情報を送信することも出来る。【００４９】  以上、本実施の形態によれば、動作装置に対して相対的に移動する情報送信装置から情報を受信して動作する動作装置が、タイミングよく動作できる。なお、「相対的に移動する」とは、動作装置が移動しており、情報送信装置が停止している場合も含む趣旨である。【００５０】  なお、本実施の形態によれば、情報送信装置は、検出装置が検出した移動状態に基づいて情報を送信する距離を変更して、当該情報を送信したが、情報送信装置��身が、移動体の移動状態を取得しても良い。つまり、情報送信装置は、情報を格納している情報格納部と、移動体の移動状態を取得する取得部と、前記移動状態に基づいて前記情報を送信する距離を変更して、前記情報を送信する情報送信部を具備する情報送信装置であれば良い。【００５１】  また、本実施の形態によれば、動作装置が行う動作として、ＥＴＣゲートをオープンする例を説明したが、それ以外にも種々の動作に本発明の概念を適用することが出来る。例えば、自動ドアの開閉、ガレージのシャッターの開閉、あるいはエアコンやテレビなどの電気電子機器のスイッチのｏｎ／ｏｆｆなどに適用することも出来る。【００５２】  さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。【００５３】  なお、本実施の形態における情報送信装置を実現するソフトウェアは、以下のようなプログラムである。つまり、このプログラムは、コンピュータに、移動体の移動状態を取得する取得ステップと、前記移動状態に基づいて情報を送信する距離を変更して、格納している情報を送信する情報送信ステップを実行させるためのプログラムである。【００５４】  また、本実施の形態における動作装置の処理を実現するソフトウェアは、以下のようなプログラムである。すなわち、コンピュータに、情報送信装置から情報を受信する情報受信ステップと、前記情報受信ステップで受信した情報に基づいて動作を行う動作ステップを実行させるためのプログラムである。【００５５】  さらに、本実施の形態における検出装置の処理を実現するソフトウェアは、以下のようなプログラムである。すなわち、コンピュータに、移動体の移動状態を検出する検出ステップと、情報送信装置に前記移動状態を送信する移動状態送信ステップを実行させるためのプログラムである。【００５６】  （実施の形態２）
図７は、本実施の形態における情報処理システムのブロック図である。本情報処理システムは、検出装置１１、情報送信装置７２を具備する。情報送信装置７２は、例えば、携帯電話である。情報送信装置７２は、情報格納部１２０１、音声受付部７２０４、取得部１２０２、情報送信部７２０３を具備する。【００５７】  音声受付部７２０４は、ユーザからの音声入力を受け付ける。音声受付部７２０４は、例えば、マイクとそのドライバーソフトで実現され得る。【００５８】  情報送信部７２０３は、取得部１２０２が取得した移動状態に基づいて、音声受付部７２０４が受け付けた音声情報を送信する距離を変更して、当該音声情報を送信する。音声情報の送信先は、例えば、携帯電話や無線通信の基地局である。なお、情報送信部７２０３は、通常、情報格納部１２０１の情報を付加して、音声情報を送信する。情報送信部７２０３は、無線の通信手段が好適であるが、放送を受信する手段や有線の通信手段でも実現可能である。【００５９】  本実施の形態において、情報格納部１２０１が保持している情報は、例えば、携帯電話の電話番号である。【００６０】  次に、情報送信装置７２の動作について図８のフローチャートを用いて説明する。【００６１】  （ステップＳ８０１）音声受付部７２０４は、音声入力を受け付けたか否かを判断する。音声入力を受け付ければステップＳ８０２に行き、音声入力を受け付けなければステップＳ８０１に戻る。【００６２】  （ステップＳ８０２）取得部１２０２は、移動状態を取得したか否かを判断する。移動状態を取得すればステップＳ８０３に行き、移動状態を取得しなければステップＳ８０２に戻る。【００６３】  （ステップＳ８０３）情報送信部１２０３は、ステップＳ８０２で取得した移動状態に基づいて、情報を送信するモードを決定する。このモードは、情報の送信距離を決定するモードである。つまり、モードが異なれば、情報の送信距離が異なる。【００６４】  （ステップＳ８０４）情報送信部１２０３は、情報格納部１２０１の情報を読み出す。【００６５】  （ステップ８８０５）情報送信部１２０３は、送信する情報を構成する。通常、情報送信部１２０３は、ステップＳ８０１で受け付けた音声、ステップＳ８０４で読み出した情報に基づいて、送信する情報を構成する。【００６６】  （ステップ３８０６）情報送信部１２０３は、ステップＳ２０３で決定したモードに従って、ステップＳ８０５で構成した情報を送信する。ステップＳ８０１に戻る。【００６７】  なお、情報送信装置７２は、受信した音声情報（通話の相手方の音声情報）を音声出力するが、かかる動作については、既存技術であるので、説明を省略する。【００６８】  以下、本実施の形態における情報処理システムを具体的に説明する。【００６９】  図９は、本情報処理システムの具体的な概念図である。本情報処理システムにおいて移動体は、例えば、電車である。検出装置１１は、電車内部に設置されており、電車の速度を検出する。また、情報送信装置７２は、例えば、携帯電話である。ユーザは、電車の中で、携帯電話を用いて、他のユーザに電話をしている、とする。【００７０】  また、携帯電話は、図１０に示す情報送信モード管理表を保持してい��。情報送信装置７２は、電車が「０ｍ／秒から１０ｍ／秒」の速度で移動する場合（停止している場合も含む）は、モード「１」と決定し、情報を「１００ｍ」先の距離まで送信する。また、情報送信装置７２は、電車が「１１〜１００ｍ／秒」の速度で移動する場合は、モード「２」と決定し、情報を「５００ｍ」先の距離まで送信する。また、情報送信装置７２は、電車が「１０１ｍ／秒」以上の速度で移動する場合は、モード「３」と決定し、情報を「１０００ｍ」先の距離まで送信する。なお、情報送信装置１２の情報送信部１２０３は、電界強度を変えることにより、情報の伝送距離を変更することができる。【００７１】  たとえば、ユーザが、携帯電話を用いて、音声通話を開始すると、電車内にある検出装置１１が、電車の速度を検出する。そして、携帯電話は、その電車の速度の情報を受信する。検出装置１１から携帯電話へ、電車の速度の情報を送信する手段は、ブルートゥース（登録商標）などの近距離無線通信手段が好ましいが、他の通信手段でも良い。【００７２】  そして、携帯電話は、電車の速度の情報を取得し、当該速度に基づいて、情報を送信する距離を変える。携帯電話が送信する情報は、例えば、情報格納部１２０１に格納されている呼制御処理における制御情報やの電話番号（例えば、「０９０１２３４５６７８」）と、ユーザが通話する音声情報を含むパケットである。【００７３】  そして、携帯電話の基地局が、携帯電話から送出されたパケットを受信し、通話が可能となる。【００７４】  以上、本実施の形態によれば、移動体の移動状態に応じて、自動的に情報の送信距離を変更することができる情報送信装置等を提供できる。そのため、高速移動時には、通信距離として長い距離が確保でき、その結果、通信処理を完了させるのに必要な時間を確保することができ、一方、低速移動時には、低消費電力で通信が可能となる。【００７５】  なお、本実施の形態では、移動体として電車を例に説明したが、移動体は、自動車、オートバイ、飛行機、船などであっても良いことはいうまでもない。【００７６】  なお、本実施の形態の形態において、情報送信装置は、携帯電話以外の情報通信装置であっても良い。したがって、情報送信装置は、音声受付部を具備しなくても良い。【００７７】  また、本実施の形態の形態において、情報送信装置自体が、移動状態を取得する構成であっても良い。その場合には、上記した情報処理システムが行う処理は、以下の情報送信装置のみで実現され得る。かかる情報送信装置の構成を示すブロック図を、図１１に示す。情報送信装置は、検出部１１０１、情報格納部１２０１、情報送信部１２０３を具備する。情報送信部１２０３は、検出部１１０１が検出した移動状態（速度や加速度など）に基づいて、情報格納部１２０１に保持している情報を送信する距離を変更して、前記情報を送信する。かかる送信処理は、情報送信部１２０３が行なう。【００７８】  また、かかる情報送信装置の機能を具備する携帯電話は、さらに、音声受付部７２０４等を具備する。かかる場合、例えば、携帯電話が、移動状態を検出する機構を具備することとなる。【００７９】  また、本実施の形態の形態において、情報送信装置を実現するソフトウェア��、以下のようなプログラムである。つまり、このプログラムは、コンピュータに、移動体の移動状態を取得する取得ステップと、前記移動状態に基づいて送信する距離を変更して、入力された音声情報を送信する情報送信ステップを実行させるためのプログラムである。【００８０】  なお、上記各実施の形態におけるプログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。また、上記各実施の形態におけるプログラムにおいて、プログラムを実行するコンピュータは、単数であってもよく、複数であってもよい。すなわち、集中処理を行ってもよく、あるいは分散処理を行ってもよい。【００８１】  また、上記各実施の形態において、一の装置に存在する２以上の通信手段（情報送信部など）は、物理的に一の媒体で実現されても良いことは言うまでもない。【００８２】  また、上記各実施の形態において、各処理（各機能）は、単一の装置（システム）によって集中処理されることによって実現されてもよく、あるいは、複数の装置によって分散処理されることによって実現されてもよい。【００８３】  本発明は、以上の実施の形態に限定されることなく、種々の変更が可能であり、それらも本発明の範囲内に包含されるものであることは言うまでもない。
【産業上の利用可能性】
【００８４】  以上のように、本発明にかかる情報処理システムは、移動状態に基づいて、自動的に情報の送信距離が変化させることができるという効果を有し、移動体に関連する通信システム等として有用である。
【図１】
2005112304.tif 000002
【図２】
2005112304.tif 000003
【図３】
2005112304.tif 000004
【図４】
2005112304.tif 000005
【図５】
2005112304.tif 000006
【図６】
2005112304.tif 000007
【図７】
2005112304.tif 000008
【図８】
2005112304.tif 000009
【図９】
2005112304.tif 000010
【手続補正書】
【提出日】平成18年8月10日(2006.8.10)
【手続補正１】
【補正対象書類名】特許請求の範囲
【補正対象項目名】全文
【補正方法】変更
【補正の内容】
【特許請求の範囲】
【請求項１】
情報を格納している情報格納部と、
移動体の移動状態を取得する取得部と、
前記移動状態に基づいて前記情報を送信する距離を変更して、前記情報を送信する情報送信部と、
を有する情報送信装置。
【請求項２】
前記取得部が、前記移動体の移動する速度または加速度を前記移動状態として取得する請求項１記載の情報送信装置。
【請求項３】
前記情報送信部は、前記移動状態を複数の段階に分け、前記各段階に応じて送信する距離を変更して前記情報を送信する請求項１記載の情報送信装置。
【請求項４】
前記情報を送信する距離の変更は、異なる電界強度で前記情報を送信することにより実現する請求項１記載の情報送信装置。
【請求項５】
前記情報格納部が情報送信モード管理表を有し、
前記情報送信部は、取得された移動状態から前記情報送信モード管理表を参照して、送信する距離を決定する請求項１記載の情報送信装置。
【請求項６】
使用者の音声入力を受け付ける音声受付部をさらに有し、
前記音声受付部は、前記移動状態に基づいて送信する距離を変更して、受け付けた前記音声情報を送信する請求項１記載の情報送信装置。
【請求項７】
前記取得部は、検出装置が送信する移動体の移動情報を受信する請求項１記載の情報送信装置。
【請求項８】
前記取得部は、受信機能を有する記録媒体から移動体の移動情報を取得する請求項１記載の情報送信装置。
【請求項９】
情報処理システムであって、情報送信装置と動作装置を有し、
前記情報送信装置が：
情報を格納している情報格納部と；
移動体の移動状態を取得する取得部と；
前記移動状態に基づいて前記情報を送信する距離を変更して、前記情報を送信する情報送信部を有し、
前記動作装置が：
前記情報送信装置から情報を受信する情報受信部と、
前記情報受信部が受信した情報に基づいて動作を行う動作部と、
を具備する情報処理システム。
【請求項１０】
前記移動状態を送信する移動状態送信部と、前記移動体の移動状態を検出する検出部と、を含む検出装置をさらに有する請求項９記載の情報処理システム。
【請求項１１】
前記動作部は、
前記受信した情報に基づいて認証を行う認証手段と、
前記認証手段における認証結果が認証許可との認証結果である場合に、動作を行う動作手段を有する
請求項９記載の情報処理システム。
【請求項１２】
前記情報格納部が、情報送信モード管理表を有し、
前記情報送信部は、取得された移動状態から前記情報送信モード管理表を参照して、送信する距離を決定する、請求項９記載の情報処理システム。
【請求項１３】
前記動作部はドアまたはゲートを開ける動作を行う請求項９記載の情報処理システム。
【請求項１４】
前記動作装置は、ＥＴＣのゲートであり、動作部はＥＴＣのゲートを開ける動作を行う請求項９記載の情報処理システム。
【請求項１５】
情報処理システムであって、情報送信装置と検出装置を有し、
前記情報送信装置は：
情報を格納している情報格納部と、
移動体の移動状態を取得する取得部と、
前記移動状態に基づいて前記情報を送信する距離を変更して、前記情報を送信する情報送信部を具備し、
前記検出装置は：
前記移動体の移動状態を検出する検出部と、
前記移動状態を送信する移動状態送信部を含む
情報処理システム。
【請求項１６】
携帯電話であって、
移動体の移動状態を取得する取得部と、
前記移動状態に基づいて送信する距離を変更して、入力された音声情報を送信する情報送信部を具備する携帯電話。
【請求項１７】
前記取得部が、前記移動体の移動する速度または加速度を前記移動状態として検出する請求項１６記載の携帯電話。
【請求項１８】
コンピュータに、
移動体の移動状態を取得する取得ステップと、
前記移動状態に基づいて情報を送信する距離を選択するステップと、
入力された音声情報またはコンピュータが格納している情報を送信する情報送信ステップと、
を実行させるためのプログラム。
【請求項１９】
コンピュータに、
情報送信装置から情報を受信する情報受信ステップと、
前記情報受信ステップで受信した移動状態に関する情報に基づいて動作を行う動作ステップと、
を実行させるためのプログラム。
【請求項２０】
前記動作ステップが、
受信した情報に基づいて認証を行う認証サブステップと、
前記認証ステップにおける認証結果が認証許可との認証結果である場合に、動作を行う動作サブステップと、
を含むステップである請求項１９記載のプログラム。
【手続補正２】
【補正対象書類名】明細書
【補正対象項目名】全文
【補正方法】変更
【補正の内容】
【書類名】明細書
【発明の名称】情報送信装置、情報処理システム、携帯電話およびプログラム
【技術分野】
【０００１】
本発明は、速度または加速度などの移動状態に応じて情報の送信距離を変更する情報送信装置や情報処理システム等に関するものである。
【背景技術】
【０００２】
従来技術として、ブルートゥース（Ｂｌｕｅｔｏｏｔｈ）（登録商標）が知られている。同技術は、無線通信規格であり、伝送距離は送信電力が１ｍＷのときに約１０ｍと、省電力、短距離を意識した無線規格である。また、送信電力を上げることにより、最大で１００ｍまで伝送距離を伸ばすことができることが文献に記載されている(文献名：「最新技術解説 入門Bluetooth」、初版、技術評論社、２００１年１月１３日、ｐ．２８−３５)。
【０００３】
しかし、上記従来技術では、移動する速度や移動する加速度などの移動状態に基づいて、自動的に情報の送信距離が変わらないために、移動する情報送信装置から情報を受信して動作する装置が、タイミングよく動作できない、という課題があった。
【０００４】
また、高速移動時には、通信距離として長い距離が確保できず、その結果、通信処理を完了させる時間を確保することができない、という課題があった。
【発明の開示】
【０００５】
本発明の情報処理システムは、検出装置、情報送信装置、および動作装置を具備する情報処理システムであって、前記検出装置は、移動体の移動状態を検出する検出部と、前記情報送信装置に前記移動状態を送信する移動状態送信部を具備し、前記情報送信装置は、情報を格納している情報格納部と、移動体の移動状態を取得する取得部と、前記移動状態に基づいて前記情報を送信する距離を変更して、前記情報を送信する情報送信部を具備し、前記動作装置は、情報送信装置から情報を受信する情報受信部と、前記情報受信部が受信した情報に基づいて動作を行う動作部を具備する情報処理システムである。
【０００６】
この構成により、動作装置に対して相対的に移動する情報送信装置から情報を受信して動作する動作装置が、タイミングよく動作できる。
【０００７】
本発明の他の情報処理システムは、検出装置および情報送信装置を具備する情報処理システムであって、前記検出装置は、移動体の移動状態を検出する検出部と、前記情報送信装置に前記移動状態を送信する移動状態送信部を具備し、前記情報送信装置は、移動体の移動状態を取得する取得部と、前記移動状態に基づいて送信する距離を変更して、入力された音声情報を送信する情報送信部を具備する情報処理システムである。かかる情報送信部は、例えば、データ通信用の情報を送信しても良い。
【０００８】
この構成により、高速移動時には通信距離として長い距離が確保でき、その結果、通信処理を完了させる時間を確保することができる。また、低速移動時には、低消費電力での通信が可能となる。
【０００９】
本発明は、移動体の移動状態に応じて、自動的に情報の送信距離を変更することができる情報送信装置等を提供できる。
【発明の効果】
【００１０】
以上のように、本発明にかかる情報処理システムは、移動状態に基づいて、自動的に情報の送信距離が変化させることができるという効果を有し、移動体に関連する通信システム等として有用である。
【発明を実施するための最良の形態】
【００１１】
以下、情報処理システム等の実施形態について図面を参照して説明する。なお、実施の形態において同じ符号を付した構成要素は同様の動作を行うので、再度の説明を省略する場合がある。
【００１２】
（実施の形態１）
図１は、本実施の形態における情報処理システムのブロック図である。本情報処理システムは、検出装置１１、情報送信装置１２、動作装置１３を具備する。検出装置１１は、例えば、自動車等の移動体の速度や加速度等の移動状態を検出する装置である。情報送信装置１２は、例えば、自動車等の移動体に設置された通信装置である。動作装置１３は、例えば、ＥＴＣのゲートである。このゲートは、例えば、高速道路の入り口に設置されている。
【００１３】
検出装置１１は、検出部１１０１、移動状態送信部１１０２を具備する。情報送信装置１２は、情報格納部１２０１、取得部１２０２、情報送信部１２０３を具備する。動作装置１３は、情報受信部１３０１、動作部１３０２を具備する。動作部１３０２は、認証手段１３０２１、動作手段１３０２２を具備する。
【００１４】
検出部１１０１は、移動体の移動状態を検出する。移動体とは、自動車、バス、電車、飛行機などの乗物や、情報送信装置１２である。移動状態とは、移動体が移動する速度や加速度や、その他、移動する軌跡を示す情報などである。検出部１１０１は、例えば、自動車の動く速度を検知する。検出部１１０１は、例えば、自動車に設置された速度センサとそのドライバーソフトウェアによって実現することが出来る。
【００１５】
移動状態送信部１１０２は、情報送信装置１２に検出部１１０１が検出した移動状態を送信する。移動状態送信部１１０２は、通常、無線または有線の通信手段で実現されるが、放送手段で実現されても良い。
【００１６】
情報格納部１２０１は、情報を格納している。情報は、動作装置１３で認証を行うための情報や、情報送信装置１２を識別するための情報送信装置識別子や、動作装置１３を動作させるための命令や、動作装置１３が表示するための情報などを含むものである。但し、情報の内容や構造等は問わない。また、情報は、外部から受信した情報でも良い。情報格納部１２０１における情報の格納は、一時的な格納も含む。情報格納部１２０１は、不揮発性の記録媒体でも揮発性の記録媒体でも良い。
【００１７】
取得部１２０２は、移動体の移動状態を取得する。取得とは、通信による取得と、記録媒体からのデータ読み込みを含む。ここでいう記録媒体は、受信機能を有している限り、不揮発性の記録媒体でも揮発性の記録媒体でも良い。記録媒体には、例えば、種々のメモリーカードが含まれる。取得部１２０２は、例えば、検出装置１１から移動状態を受信する。従って、取得部１２０２は、例えば、無線または有線の通信手段で実現される。また、取得部１２０２は、例えば、放送を受信する手段で実現されても良い。
【００１８】
情報送信部１２０３は、取得部１２０２が取得した移動状態に基づいて情報格納部１２０１の情報を送信する距離を変更して、情報を送信する。情報送信部１２０３は、例えば、速度に基づいて情報を送信できる距離を変更して、情報格納部１２０１の情報を送信する。情報送信部１２０３は、無線通信手段で実現され得る。情報送信部１２０３は、例えば、ブルートゥースの規格に適合する通信手段である。情報送信部１２０３は、例えば、速度に基づいて、情報を送信する距離を３段階に変更して、情報を送信する。つまり、情報送信部１２０３は、例えば、移動状態を複数の段階に分け、各段階に応じて送信する距離を変更して情報を送信する。かかる情報を送信する距離の変更は、例えば、異なる電界強度で前記情報を送信することにより実現する。また、情報送信部１２０３は、例えば、ブルートゥース以外のＵｌｔｒａ ＷｉｄｅＢａｎd Ａｃｃｅｓｓ（３．１〜１０．６ＧＨｚ）、ＩＥＥＥ８０２．１１ｂ、ＩｒＤＡ、Ｗｉｒｅｌｅｓｓ１３９４、ＴＤ−ＣＤＭＡ等の規格に適合する通信手段であっても良い。なお、情報送信部１２０３は、情報を送信する条件を満たすか否かを判断し、当該判断の結果、情報を送信すると判断した場合のみ、情報を送信しても良い。例えば、情報送信部１２０３は、ＥＴＣのゲートに近づいてきたことを検知して、情報を送信しても良い。ＥＴＣのゲートに近づいてきたことは、例えば、ＧＰＳ受信機（図示しない）により取得した位置情報と、保持しているナビゲーションシステムの地図情報（図示しない）に基づいて判断でき得る。
【００１９】
情報受信部１３０１は、情報送信装置１２から情報を受信する。情報受信部１３０１は、無線通信手段で実現され得る。情報受信部１３０１は、例えば、ブルートゥースの規格に適合する通信手段である。情報受信部１３０１は、例えば、ブルートゥース以外のＵｌｔｒａ ＷｉｄｅＢａｎｄ ＡｃｃｅｓｓやＩＥＥＥ８０２．１１ｂ、ＴＤ−ＣＤＭＡ等の規格に適合する通信手段であっても良い。
【００２０】
動作部１３０２は、情報受信部１３０１で受信した情報に基づいて動作を行う。「情報受信部１３０１が受信した情報に基づいて動作を行う」とは、例えば、情報受信部１３０１が情報を受信したことをトリガーとして、動作を行なったり、受信した情報の内容によって異なる動作を行なったり、以下で述べる受信した情報に基づいて認証処理を行い、認証結果が認証許可である場合のみ、動作を行ったりすることである。また、ここでいう動作には種々の動作が含まれており、本発明は動作の内容によっては限定されない。なお、動作の内容は、他の情報や要因により変化しても良い。動作は、例えば、自動ドアを開く動作である。かかる場合、動作装置１３は、自動ドアである。動作は、例えば、ＥＴＣのゲートを開く動作である。かかる場合、動作装置１３は、ＥＴＣのゲートである。
【００２１】
認証手段１３０２１は、受信した情報に基づいて認証を行う。認証手段１３０２１は、例えば、以下の処理により認証を行う。認証手段１３０２１は、認証される情報送信装置１２を識別する情報送信装置識別子を１以上格納している。認証手段１３０２１は、受信した情報が、格納している情報送信装置識別子の中に存在するか否かを判断し、存在すれば認証許可と判断し、存在しなければ認証不許可と判断する。また、認証手段１３０２１は、外部の認証サーバ（図示しない）に認証を依頼し、当該認証の結果を受信する手段であっても良い。かかる認証の依頼の際に、認証手段１３０２１は、受信した情報が有する情報送信装置識別子を認証サーバに送信する。認証手段１３０２１は、通常、ＭＰＵやメモリ等から実現され得る。認証手段１３０２１が認証するための処理手順は、通常、ソフトウェアで実現され、当該ソフトウェアはＲＯＭ等の記録媒体に記録されている。但し、ハードウェア（専用回路）で実現しても良い。
【００２２】
動作手段１３０２２は、認証手段１３０２１における認証結果が認証許可との認証結果である場合に、動作を行う。動作手段１３０２２の実現手段は、動作の内容によって異なる。
【００２３】
以下、本情報処理システムの動作について説明する。まず、検出装置１１の動作について説明する。検出装置１１の検出部１１０１は、通常、常時かつ定期的に移動体の移動状態を検出する。そして、移動状態送信部１１０２は、情報送信装置１２に、検出部１１０１が検出した移動状態を送信する。移動状態の送信のタイミングは、検出部１１０１が移動状態を検出する毎であっても良いし、所定の条件を満たした場合であっても良い。所定の条件を満たした時に移動状態を送信する場合は、移動状態送信部１１０２は、移動状態が所定の条件を満たすか否かを判断する処理を行う。
【００２４】
次に、情報送信装置１２の動作について図２のフローチャートを用いて説明する。
【００２５】
（ステップＳ２０１）取得部１２０２は、移動状態を取得したか否かを判断する。移動状態を取得すればステップＳ２０２に行き、移動状態を取得しなければステップＳ２０１に戻る。
【００２６】
（ステップＳ２０２）情報送信部１２０３は、情報を送信する条件を満たすか否かを判断する。情報を送信する条件を満たせばステップＳ２０３に行き、情報を送信する条件を満たさなければステップＳ２０１に戻る。情報を送信する条件を満たすか否かは、例えば、以下で述べるＥＴＣゲートに所定の距離以内に、移動体が近づいたか否かにより判断する。かかる判断は、例えば、ＧＰＳ受信機（図示しない）により取得した位置情報と地図情報により行う。
【００２７】
（ステップＳ２０３）情報送信部１２０３は、ステップＳ２０１で取得した移動状態に基づいて、情報を送信するモードを決定する。このモードは、情報の送信距離を決定するモードである。つまり、モードが異なれば、情報の送信距離が異なる。
【００２８】
（ステップＳ２０４）情報送信部１２０３は、情報格納部１２０１の情報を読み出す。
【００２９】
（ステップＳ２０５）情報送信部１２０３は、ステップＳ２０３で決定したモードに従って、ステップＳ２０４で読み出した情報を送信する。ステップＳ２０１に戻る。
【００３０】
なお、図２のフローチャートにおいて、電源オフや処理終了の割り込みにより処理は終了する。
【００３１】
次に、動作装置１３の動作について図３のフローチャートを用いて説明する。
【００３２】
（ステップＳ３０１）情報受信部１３０１が情報を受信したか否かを判断する。情報を受信したと判断するとステップＳ３０２に進み、情報を受信していないと判断するとステップＳ３０１に戻る。
【００３３】
（ステップＳ３０２）動作部１３０２の認証手段１３０２１は、受信した情報に基づいて認証を行う。
【００３４】
（ステップＳ３０３）動作部１３０２の動作手段１３０２２は、認証手段１３０２１における認証結果が認証許可であるか否かを判断する。認証許可であればステップＳ３０４に進み、認証許可でなければステップＳ３０１に戻る。
【００３５】
（ステップＳ３０４）動作手段１３０２２は、動作を行う。ステップＳ３０１に戻る。
【００３６】
なお、図３のフローチャートにおいて、電源オフや処理の終了を指示する信号の入力等の割り込みが有る場合に、処理が終了する。
【００３７】
以下、本実施の形態における情報処理システムの具体的を説明する。図４は、本情報処理システムの具体的な概念図である。本情報処理システムにおいて移動体は、自動車である。情報処理システムにおいて、自動車がＥＴＣのゲートに対して、自動車の識別子（情報送信装置の識別子でも良い）を送信し、当該自動車の識別子を受信したＥＴＣゲートは、ゲートを開く。その結果、スムーズに自動車はＥＴＣゲートを通過できる。また、ＥＴＣゲートと連携している課金サーバ装置（図示しない）は、自動車に対して課金する。
【００３８】
自動車の内部に、検出装置１１および情報送信装置１２が存在する。また、動作装置１３は、ＥＴＣのゲートである。
【００３９】
情報送信装置１２は、図５に示すような情報送信モード管理表に基づいて情報を送信する距離を制御しても良い。情報送信モード管理表は、「速度（ｍ／秒）」「モード」「距離」を有するレコードを１以上保持している。「速度（ｍ／秒）」は、自動車の移動速度（移動状態の一例）を示す情報である。「モード」は、情報を送信する距離を異なる距離にする場合のカテゴリーを示す情報である。「距離」は、情報を送信する距離を示す情報である。つまり、情報送信装置１２は、自動車の速度が「０ｍ／秒」場合（すなわち、停止している場合）は、モード「０」と決定し、情報を「１ｍ」先の距離まで送信する。また、情報送信装置１２は、自動車が「０．１〜５．０ｍ／秒」の速度で移動する場合は、モード「１」と決定し、情報を「１０ｍ」先の距離まで送信する。また、情報送信装置１２は、自動車が「５．１〜１５．０ｍ／秒」の速度で移動する場合は、モード「２」と決定し、情報を「２５ｍ」先の距離まで送信する。さらに、情報送信装置１２は、自動車が「１５．１ｍ／秒以上」の速度で移動する場合は、モード「３」と決定し、情報を「１００ｍ」先の距離まで送信する。なお、情報送信装置１２の情報送信部１２０３は、電界強度を変えることにより、情報の伝送距離を変更することができる。
【００４０】
また、ＥＴＣ車載器（情報送信装置１２）は、自動車またはＥＴＣ車載器を識別する情報である情報送信装置識別子「７６５５」を保持している、とする。そして、動作装置１３の認証手段１３０２１は、図６に示す情報送信装置識別子管理表を保持している。情報送信装置識別子管理表は、１以上の情報送信装置識別子を有する。
【００４１】
かかる場合、検出装置１１が、例えば、定期的に自動車の速度を検知する。そして、ＥＴＣ車載器（情報送信装置１２）は、当該速度を取得する。次に、ＥＴＣ車載器の情報送信部１２０３は、速度に応じた距離を図５の情報送信モード管理表から取得する。
【００４２】
次に、情報送信部１２０３は、情報送信装置識別子「７６５５」を情報格納部１２０１から読み出し、送信する情報を構成する。送信する情報は、情報送信装置識別子「７６５５」を有し、ＥＴＣゲートのオープンを指示する情報であれば良い。そして、情報送信部１２０３は、上記で得た距離まで、情報送信装置識別子「７６５５」を有する情報を送信する。
【００４３】
次に、動作装置１３の情報受信部１３０１は、情報送信装置識別子「７６５５」を有する情報を受信する。そして、動作部１３０２は、情報送信装置識別子「７６５５」に基づいて認証する。つまり、認証手段１３０２１は、情報送信装置識別子「７６５５」が図６に示す情報送信装置識別子管理表に保持されているか否かを判断する。ここでは、情報送信装置識別子「７６５５」が図６に示す情報送信装置識別子管理表に保持されているので、認証許可との結果を得る。そして、動作手段１３０２２は、ＥＴＣゲートをオープンする。ＥＴＣゲートをオープンする処理は、公知技術による処理であるので、ここでの詳細な説明は省略する。また、動作手段１３０２２は、情報送信装置識別子「７６５５」を有する課金情報を、図示しない課金サーバ装置に送信する。課金サーバ装置は、情報送信装置識別子「７６５５」に対応するＥＴＣ車載器（または自動車）に対して、所定の課金処理を行う。所定の課金処理も公知技術による処理であるので、ここでの詳細な説明は省略する。
【００４４】
本実施例では、自動車の移動速度に応じて、自動車に搭載されたＥＴＣ車載器（情報送信装置１２）が、ＥＴＣのゲート（動作装置１３）に情報を送信する距離が変化する。その結果、自動車の移動速度が速いほど、ＥＴＣのゲートは遠方からの情報を受信して、ゲートが開く。また、本実施例では、自動車の移動速度は、自動車が保持している検出装置１１により検出され、情報送信装置１２に送られる。なお、情報送信装置１２は定期的に検出装置１１が検出した最新の速度を取りにいったが、所定の条件に合致した場合に、検出装置１１が検出した最新の速度を取りにいっても良い。所定の条件とは、例えば、ＥＴＣゲートから所定の距離以内に近づいたことを検知した場合である。ＥＴＣゲートから所定の距離以内に近づいたことの検知は、例えば、ＧＰＳ受信機と地図情報に基づいて行なう。
【００４５】
また、一度、動作装置１３に情報を送信した場合、または一度、動作装置１３に情報を送信して、動作装置１３が情報を受信したことを検知した場合に、情報送信装置１２が、再度、情報を送信しないようにしてもよい。
【００４６】
また、本実施例では、動作部１３０２は、認証手段１３０２１により認証処理を行ったが、認証処理を行わなくても良い。つまり、情報を受信した場合に、動作部１３０２は、常に、ＥＴＣゲートをオープンしても良い。
【００４７】
本実施例では、自動車の移動状態は、速度であったが、加速度や、他の移動に関する情報でも良い。情報送信装置１２が、取得した自動車の加速度に基づいて、情報を送信する距離を変更して、当該情報を送信することも出来る。
【００４８】
以上、本実施の形態によれば、動作装置に対して相対的に移動する情報送信装置から情報を受信して動作する動作装置が、タイミングよく動作できる。なお、「相対的に移動する」とは、動作装置が移動しており、情報送信装置が停止している場合も含む趣旨である。
【００４９】
なお、本実施の形態によれば、情報送信装置は、検出装置が検出した移動状態に基づいて情報を送信する距離を変更して、当該情報を送信したが、情報送信装置自身が、移動体の移動状態を取得しても良い。つまり、情報送信装置は、情報を格納している情報格納部と、移動体の移動状態を取得する取得部と、前記移動状態に基づいて前記情報を送信する距離を変更して、前記情報を送信する情報送信部を具備する情報送信装置であれば良い。
【００５０】
また、本実施の形態によれば、動作装置が行う動作として、ＥＴＣゲートをオープンする例を説明したが、それ以外にも種々の動作に本発明の概念を適用することが出来る。例えば、自動ドアの開閉、ガレージのシャッターの開閉、あるいはエアコンやテレビなどの電気電子機器のスイッチのｏｎ／ｏｆｆなどに適用することも出来る。
【００５１】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。
【００５２】
なお、本実施の形態における情報送信装置を実現するソフトウェアは、以下のようなプログラムである。つまり、このプログラムは、コンピュータに、移動体の移動状態を取得する取得ステップと、前記移動状態に基づいて情報を送信する距離を変更して、格納している情報を送信する情報送信ステップを実行させるためのプログラムである。
【００５３】
また、本実施の形態における動作装置の処理を実現するソフトウェアは、以下のようなプログラムである。すなわち、コンピュータに、情報送信装置から情報を受信する情報受信ステップと、前記情報受信ステップで受信した情報に基づいて動作を行う動作ステップを実行させるためのプログラムである。
【００５４】
さらに、本実施の形態における検出装置の処理を実現するソフトウェアは、以下のようなプログラムである。すなわち、コンピュータに、移動体の移動状態を検出する検出ステップと、情報送信装置に前記移動状態を送信する移動状態送信ステップを実行させるためのプログラムである。
【００５５】
（実施の形態２）
図７は、本実施の形態における情報処理システムのブロック図である。本情報処理システムは、検出装置１１、情報送信装置７２を具備する。情報送信装置７２は、例えば、携帯電話である。情報送信装置７２は、情報格納部１２０１、音声受付部７２０４、取得部１２０２、情報送信部７２０３を具備する。
【００５６】
音声受付部７２０４は、ユーザからの音声入力を受け付ける。音声受付部７２０４は、例えば、マイクとそのドライバーソフトで実現され得る。
【００５７】
情報送信部７２０３は、取得部１２０２が取得した移動状態に基づいて、音声受付部７２０４が受け付けた音声情報を送信する距離を変更して、当該音声情報を送信する。音声情報の送信先は、例えば、携帯電話や無線通信の基地局である。なお、情報送信部７２０３は、通常、情報格納部１２０１の情報を付加して、音声情報を送信する。情報送信部７２０３は、無線の通信手段が好適であるが、放送を受信する手段や有線の通信手段でも実現可能である。
【００５８】
本実施の形態において、情報格納部１２０１が保持している情報は、例えば、携帯電話の電話番号である。
【００５９】
次に、情報送信装置７２の動作について図８のフローチャートを用いて説明する。
【００６０】
（ステップＳ８０１）音声受付部７２０４は、音声入力を受け付けたか否かを判断する。音声入力を受け付ければステップＳ８０２に行き、音声入力を受け付けなければステップＳ８０１に戻る。
【００６１】
（ステップＳ８０２）取得部１２０２は、移動状態を取得したか否かを判断する。移動状態を取得すればステップＳ８０３に行き、移動状態を取得しなければステップＳ８０２に戻る。
【００６２】
（ステップＳ８０３）情報送信部１２０３は、ステップＳ８０２で取得した移動状態に基づいて、情報を送信するモードを決定する。このモードは、情報の送信距離を決定するモードである。つまり、モードが異なれば、情報の送信距離が異なる。
【００６３】
（ステップＳ８０４）情報送信部１２０３は、情報格納部１２０１の情報を読み出す。
【００６４】
（ステップＳ８０５）情報送信部１２０３は、送信する情報を構成する。通常、情報送信部１２０３は、ステップＳ８０１で受け付けた音声、ステップＳ８０４で読み出した情報に基づいて、送信する情報を構成する。
【００６５】
（ステップＳ８０６）情報送信部１２０３は、ステップＳ２０３で決定したモードに従って、ステップＳ８０５で構成した情報を送信する。ステップＳ８０１に戻る。
【００６６】
なお、情報送信装置７２は、受信した音声情報（通話の相手方の音声情報）を音声出力するが、かかる動作については、既存技術であるので、説明を省略する。
【００６７】
以下、本実施の形態における情報処理システムを具体的に説明する。
【００６８】
図９は、本情報処理システムの具体的な概念図である。本情報処理システムにおいて移動体は、例えば、電車である。検出装置１１は、電車内部に設置されており、電車の速度を検出する。また、情報送信装置７２は、例えば、携帯電話である。ユーザは、電車の中で、携帯電話を用いて、他のユーザに電話をしている、とする。
【００６９】
また、携帯電話は、図１０に示す情報送信モード管理表を保持している。情報送信装置７２は、電車が「０ｍ／秒から１０ｍ／秒」の速度で移動する場合（停止している場合も含む）は、モード「１」と決定し、情報を「１００ｍ」先の距離まで送信する。また、情報送信装置７２は、電車が「１１〜１００ｍ／秒」の速度で移動する場合は、モード「２」と決定し、情報を「５００ｍ」先の距離まで送信する。また、情報送信装置７２は、電車が「１０１ｍ／秒」以上の速度で移動する場合は、モード「３」と決定し、情報を「１０００ｍ」先の距離まで送信する。なお、情報送信装置１２の情報送信部１２０３は、電界強度を変えることにより、情報の伝送距離を変更することができる。
【００７０】
たとえば、ユーザが、携帯電話を用いて、音声通話を開始すると、電車内にある検出装置１１が、電車の速度を検出する。そして、携帯電話は、その電車の速度の情報を受信する。検出装置１１から携帯電話へ、電車の速度の情報を送信する手段は、ブルートゥース（登録商標）などの近距離無線通信手段が好ましいが、他の通信手段でも良い。
【００７１】
そして、携帯電話は、電車の速度の情報を取得し、当該速度に基づいて、情報を送信する距離を変える。携帯電話が送信する情報は、例えば、情報格納部１２０１に格納されている呼制御処理における制御情報やの電話番号（例えば、「０９０１２３４５６７８」）と、ユーザが通話する音声情報を含むパケットである。
【００７２】
そして、携帯電話の基地局が、携帯電話から送出されたパケットを受信し、通話が可能となる。
【００７３】
以上、本実施の形態によれば、移動体の移動状態に応じて、自動的に情報の送信距離を変更することができる情報送信装置等を提供できる。そのため、高速移動時には、通信距離として長い距離が確保でき、その結果、通信処理を完了させるのに必要な時間を確保することができ、一方、低速移動時には、低消費電力で通信が可能となる。
【００７４】
なお、本実施の形態では、移動体として電車を例に説明したが、移動体は、自動車、オートバイ、飛行機、船などであっても良いことはいうまでもない。
【００７５】
なお、本実施の形態の形態において、情報送信装置は、携帯電話以外の情報通信装置であっても良い。したがって、情報送信装置は、音声受付部を具備しなくても良い。
【００７６】
また、本実施の形態の形態において、情報送信装置自体が、移動状態を取得する構成であっても良い。その場合には、上記した情報処理システムが行う処理は、以下の情報送信装置のみで実現され得る。かかる情報送信装置の構成を示すブロック図を、図１１に示す。情報送信装置は、検出部１１０１、情報格納部１２０１、情報送信部１２０３を具備する。情報送信部１２０３は、検出部１１０１が検出した移動状態（速度や加速度など）に基づいて、情報格納部１２０１に保持している情報を送信する距離を変更して、前記情報を送信する。かかる送信処理は、情報送信部１２０３が行なう。
【００７７】
また、かかる情報送信装置の機能を具備する携帯電話は、さらに、音声受付部７２０４等を具備する。かかる場合、例えば、携帯電話が、移動状態を検出する機構を具備することとなる。
【００７８】
また、本実施の形態の形態において、情報送信装置を実現するソフトウェアは、以下のようなプログラムである。つまり、このプログラムは、コンピュータに、移動体の移動状態を取得する取得ステップと、前記移動状態に基づいて送信する距離を変更して、入力された音声情報を送信する情報送信ステップを実行させるためのプログラムである。
【００７９】
なお、上記各実施の形態におけるプログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。また、上記各実施の形態におけるプログラムにおいて、プログラムを実行するコンピュータは、単数であってもよく、複数であってもよい。すなわち、集中処理を行ってもよく、あるいは分散処理を行ってもよい。
【００８０】
また、上記各実施の形態において、一の装置に存在する２以上の通信手段（情報送信部など）は、物理的に一の媒体で実現されても良いことは言うまでもない。
【００８１】
また、上記各実施の形態において、各処理（各機能）は、単一の装置（システム）によって集中処理されることによって実現されてもよく、あるいは、複数の装置によって分散処理されることによって実現されてもよい。
【００８２】
本発明は、以上の実施の形態に限定されることなく、種々の変更が可能であり、それらも本発明の範囲内に包含されるものであることは言うまでもない。
【産業上の利用可能性】
【００８３】
以上のように、本発明にかかる情報処理システムは、移動状態に基づいて、自動的に情報の送信距離が変化させることができるという効果を有し、移動体に関連する通信システム等として有用である。
【図面の簡単な説明】
【００８４】
【図１】実施の形態１における情報処理システムのブロック図
【図２】実施の形態１における情報送信装置の動作について説明するフローチャート
【図３】実施の形態１における動作装置の動作について説明するフローチャート
【図４】実施の形態１における情報処理システムの概念図
【図５】実施の形態１における情報送信モード管理表を示す図
【図６】実施の形態１における情報送信装置識別子管理表を示す図
【図７】実施の形態２における情報処理システムのブロック図
【図８】実施の形態２における情報送信装置の動作について説明するフローチャート
【図９】実施の形態２における情報処理システムの概念図
【図１０】実施の形態２における情報送信モード管理表を示す図
【図１１】実施の形態２における情報送信装置のブロック図
【符号の説明】
【００８５】
１１    検出装置
１２，７２    情報送信装置
１３    動作装置
１１０１    検出部
１１０２    移動状態送信部
１２０１    情報格納部
１２０２    取得部
１２０３    情報送信部
１３０１    情報受信部
１３０２    動作部
７２０３    情報送信部
７２０４    音声受付部
１３０２１    認証手段
１３０２２    動作手段
【手続補正３】
【補正対象書類名】図面
【補正対象項目名】全図
【補正方法】変更
【補正の内容】
【図１】
2005112304.tif 000011
【図２】
2005112304.tif 000012
【図３】
2005112304.tif 000013
【図４】
2005112304.tif 000014
【図５】
2005112304.tif 000015
【図６】
2005112304.tif 000016
【図７】
2005112304.tif 000017
【図８】
2005112304.tif 000018
【図９】
2005112304.tif 000019
【図１０】
2005112304.tif 000020
【図１１】
2005112304.tif 000021
【国際調査報告】
2005112304.tif 000022
2005112304.tif 000023
2005112304.tif 000024
2005112304.tif 000025